(57)【要約】【課題】自動車保管場所証明書を管轄の警察署に申請する必要がある際に、前記証明書が交付されるまでに長い時間がかかることがなく、また引っ越しする際には十分な検討ができ、月極駐車場の費用等を比較をすることができ、空き利用に関するあらゆる情報や手続を提供し手続できるようにし、またＰＣ等を通じて管理することを可能とした月極駐車場管理システムを提供することを目的とする。【解決手段】本発明は、通信端末とインターネット回線を介して接続される月極駐車場管理サーバＰＣを有し、前記月極駐車場管理サーバＰＣは空き車室を検出する検出手段と、検出された空き車室を比較する比較手段と、空き車室の優先順位付け手段と、前記優先順位付けされた空き車室を選択する選択手段と、選択された空き車室を表示する手段と空き車室についての各データから作成する作成手段を備えたことを特徴とする。【選択図】  図１
2017199069.tif 000002
【特許請求の範囲】
【請求項１】
通信端末と、該通信端末がインターネット回線を介して接続される月極駐車場管理サーバＰＣとを有し、
前記月極駐車場管理サーバＰＣは、居住する住所の入力データに基づき、車の保管場所として適正な場所の月極駐車場の空き車室を検出する検出手段と、
検出された前記月極駐車場の空き車室を比較データを用いて比較する比較手段と、前記比較データ毎に月極駐車場における空き車室の優先順位付けをする優先順位付け手段と、
前記優先順位付けされた月極駐車場の空き車室から空き車室を選択する選択手段と、
選択された月極駐車場の空き車室を表示する手段と、表示された空き車室の案内図と配置図とを前記居住する住所と前記検出された月極駐車場の空き車室についての各データから作成する作成手段と、を備えた、
ことを特徴とする月極駐車場管理システム。
【請求項２】
車の保管場所として適正な場所としては、居住する住所から２ｋｍ以内である、
ことを特徴とする請求項１記載の月極駐車場管理システム。
【請求項３】
前記選択された月極駐車場の空き車室について月極駐車場契約が完了した後、月極駐車場契約完了した車両には、車両認識手段が取り付けられ、月極駐車場では、前記車両認識手段によって、前記車両の駐車場進入を認める、
ことを特徴とする請求項１または請求項２記載の月極駐車場管理システム。
【請求項４】
前記月極駐車場契約が完了した後、所定期間月極駐車場料金が支払われていないとき、前記車両認識手段が変更され、前記車両の月極駐車場進入が阻止される、
ことを特徴とする請求項３記載の月極駐車場管理システム。
【発明の詳細な説明】
【技術分野】
【０００１】
本発明は、月極駐車場の空き利用に関するあらゆる情報を、例えば会員となっている不動産会社及び一般利用者向けにコンピュータ（ＰＣ）、スマートフォンやタブレット端末等を通じて情報を提供することができ、また月極駐車場の管理についてコンピュータ（ＰＣ）、スマートフォンやタブレット端末等を通じて管理することを可能とした月極駐車場管理システムに関するものである。
【背景技術】
【０００２】
現在、例えば自動車を購入した場合や、車両を有する者が引越しに伴って住所の変更を行う場合、自動車の名義を変更する場合等に自動車保管場所証明書、いわゆる車庫証明書を管轄の警察署に申請する必要がある。
【０００３】
その際に、月極駐車場を使用している場合、車庫証明の申請に必要な書類として、自動車保管場所証明申請書、所在図・配置図、保管場所使用承諾証明書などの書類が必要である。
【０００４】
具体的には、前記所在図には自宅から駐車場までの略図を描き、自宅から車の保管場所までの間を線で結んで、その距離（直線で２ｋｍ以内）を記入する。
配置図には、車の保管場所の周囲の建物や道路を表示したものを作成し、その際、配置図には車の保管場所に接する道路の幅員、前記保管場所の平面の寸法も記載する必要がある。
さらに、保管場所使用承諾証明書を作成する場合には、駐車場の所有者または不動産会社に出向き、印鑑、車検証、免許証等を提示したうえで、自動車保管場所使用承諾証明書に記入・押印してもらう必要がある。
【０００５】
そのため、自動車保管場所証明書の申請には時間がかかり、手続きも煩雑であるため、交付されるまでに長い時間がかかるといった課題があった。
【０００６】
また、従来は一般利用者が自宅近くの月極駐車場を自ら探すか又は不動産会社の看板を見て問合せを行っていた。そのため、車の所有者が引越しする際には、事前に引越し先で月極駐車場を探し契約する必要があり、金銭面や立地条件、自宅からの距離等に十分な検討ができないといった課題がある。
【０００７】
さらに、月極駐車場の月額費用や契約金等の比較をすることができず、一般利用者にとっては長期的なコストも大きな負担となるとの課題もあった。
【先行技術文献】
【特許文献】
【０００８】
【特許文献１】特開２００２−２６００２９号公開公報
【発明の概要】
【発明が解決しようとする課題】
【０００９】
かくして、本発明は、上記の課題に対処すべく創案されたものであって、例えば自動車を購入した場合や、車両を有する者が引越しに伴って住所の変更を行う場合、自動車の名義を変更する場合等に自動車保管場所証明書、いわゆる車庫証明書を管轄の警察署に申請する必要がある際に、月極駐車場を使用している場合、車庫証明の申請に必要な書類として、自動車保管場所証明申請書、所在図・配置図、保管場所使用承諾証明書などの書類が必要となり、具体的には、前記所在図には自宅から駐車場までの略図を描き、自宅から車の保管場所までの間を線で結んで、その距離（直線で２ｋｍ以内）を記入し、配置図には、車の保管場所の周囲の建物や道路を表示したものを作成し、その際、配置図には車の保管場所に接する道路の幅員、前記保管場所の平面の寸法も記載する必要があり、さらに、保管場所使用承諾証明書を作成する場合には、駐車場の所有者または不動産会社に出向き、印鑑、車検証、免許証等を提示したうえで、自動車保管場所使用承諾証明書に記入・押印してもらう必要があり、そのため、自動車保管場所証明書の申請には時間がかかり、手続きも煩雑であるため、交付されるまでに長い時間がかかることがなく、また、従来は一般利用者が自宅近くの月極駐車場を自ら探すか又は不動産会社の看板を見て問合せを行うことがなく、そのため、車の所有者が引越しする際に、事前に引越し先で月極駐車場を探し契約する必要があり、金銭面や立地条件、自宅からの距離等に十分な検討ができないといったことがなく、さらに、月極駐車場の月額費用や契約金等の比較をすることができずに、一般利用者にとっては長期的なコストも大きな負担となってしまうことがなく、月極駐車場の空き利用に関するあらゆる情報や手続をインターネット上に挙げて提供し、手続できるようにし、例えば会員となっている不動産会社及び一般利用者向けにコンピュータ（ＰＣ）、スマートフォンやタブレット端末等を通じて情報を提供し、手続きできるようにし、また月極駐車場の管理についてコンピュータ（ＰＣ）、スマートフォンやタブレット端末等を通じて管理することを可能とした月極駐車場管理システムを提供することを目的とするものである。
【課題を解決するための手段】
【００１０】
本発明は、
通信端末と、該通信端末がインターネット回線を介して接続される月極駐車場管理サーバＰＣとを有し、
前記月極駐車場管理サーバＰＣは、居住する住所の入力データに基づき、車の保管場所として適正な場所の月極駐車場の空き車室を検出する検出手段と、
検出された前記月極駐車場の空き車室を比較データを用いて比較する比較手段と、前記比較データ毎に月極駐車場における空き車室の優先順位付けをする優先順位付け手段と、
前記優先順位付けされた月極駐車場の空き車室から空き車室を選択する選択手段と、
選択された月極駐車場の空き車室を表示する手段と、表示された空き車室の案内図と配置図とを前記居住する住所と前記検出された月極駐車場の空き車室についての各データから作成する作成手段と、を備えた、
ことを特徴とし、
または、
車の保管場所として適正な場所としては、居住する住所から２ｋｍ以内である、
ことを特徴とし、
または、
前記選択された月極駐車場の空き車室について月極駐車場契約が完了した後、月極駐車場契約完了した車両には、車両認識手段が取り付けられ、月極駐車場では、前記車両認識手段によって、前記車両の駐車場進入を認める、
ことを特徴とし、
または、
前記月極駐車場契約が完了した後、所定期間月極駐車場料金が支払われていないとき、前記車両認識手段が変更され、前記車両の月極駐車場進入が阻止される、
ことを特徴とするものである。
【発明の効果】
【００１１】
本発明による月極駐車場管理システムであれば、例えば自動車を購入した場合や、車両を有する者が引越しに伴って住所の変更を行う場合、自動車の名義を変更する場合等に自動車保管場所証明書、いわゆる車庫証明書を管轄の警察署に申請する必要がある際に、月極駐車場を使用している場合、車庫証明の申請に必要な書類として、自動車保管場所証明申請書、所在図・配置図、保管場所使用承諾証明書などの書類が必要となり、具体的には、前記所在図には自宅から駐車場までの略図を描き、自宅から車の保管場所までの間を線で結んで、その距離（直線で２ｋｍ以内）を記入し、配置図には、車の保管場所の周囲の建物や道路を表示したものを作成し、その際、配置図には車の保管場所に接する道路の幅員、前記保管場所の平面の寸法も記載する必要があり、さらに、保管場所使用承諾証明書を作成する場合には、駐車場の所有者または不動産会社に出向き、印鑑、車検証、免許証等を提示したうえで、自動車保管場所使用承諾証明書に記入・押印してもらう必要があり、そのため、自動車保管場所証明書の申請には時間がかかり、手続きも煩雑であるため、交付されるまでに長い時間がかかることがなく、また、従来は一般利用者が自宅近くの月極駐車場を自ら探すか又は不動産会社の看板を見て問合せを行うことがなく、そのため、車の所有者が引越しする際に、事前に引越し先で月極駐車場を探し契約する必要があり、金銭面や立地条件、自宅からの距離等に十分な検討ができないといったことがなく、さらに、月極駐車場の月額費用や契約金等の比較をすることができずに、一般利用者にとっては長期的なコストも大きな負担となってしまうことがなく、月極駐車場の空き利用に関するあらゆる情報や手続をインターネット上に挙げて提供し、手続できるようにし、例えば会員となっている不動産会社及び一般利用者向けにコンピュータ（ＰＣ）、スマートフォンやタブレット端末等を通じて情報を提供し、手続きできるようにし、また月極駐車場の管理についてコンピュータ（ＰＣ）、スマートフォンやタブレット端末等を通じて管理することを可能とするとの優れた効果を奏する。
【発明を実施するための形態】
【００１２】
以下本発明を図に基づいて説明する。
【００１３】
まず、本発明は、通信端末１と、該通信端末１がインターネット回線２を介して接続される月極駐車場管理サーバＰＣ３とを有して構成される。
そして、月極駐車場管理サーバＰＣ３によって、例えば、月極駐車場管理サイト４がインターネット上で運用されており、前記通信端末１はこの月極駐車場管理サイト４にインターネット回線２を介して接続し、各種の操作が行われるものとなる。
【００１４】
この月極駐車場管理サイト４を運用する月極駐車場管理サーバＰＣ３には、図２に示されるように、居住する住所を入力すると、この住所から車の保管場所として適正な場所、例えば自宅から２ｋｍ以内の場所にある月極駐車場を検出し、かつその月極駐車場に空き車室があるか否かを検出する空き車室検出部５が設けられている。
【００１５】
ここで、月極駐車場管理ＰＣ３は、全国の月極駐車場とその月極駐車場の空き車室がデータとして記憶、保存された月極駐車場データ記憶保存部６を有しており、該月極駐車場データ記憶保存部６には、例えば全国の不動産業者などの業者の有する情報発信コンピュータ７からいわゆる月極駐車場の空き情報などが送信され、それらの情報に基づき、日々更新されて新しい月極駐車場データが蓄積、保存されている。
【００１６】
尚、全国の不動産業者など業者の有する情報発信コンピュータ７からいわゆる前述の月極駐車場の空き情報などが送信されるが、その送信に際して、前記全国の不動産業者など業者の有する情報発信コンピュータ７側には、月極駐車場の契約に伴う料金の一部が還元されるよう課金構成されている。
【００１７】
しかして、通信端末１が月極駐車場管理サイト４に接続し、該月極駐車場管理サイト４に設けられた空き車室検出部５をクリックすると、住所入力部８が表示される。この住所入力部８に居住する住所を入力する。
すると、その住所の場所から２ｋｍ以内の月極駐車場でかつ空き車室のある箇所が複数箇所検出される。
複数検出された月極駐車場の空き車室のうち、もっとも希望に合う空き車室を選択することになる。
例えば、その選択基準には、月極駐車場の地面がアスファルト舗装されているか否か、賃料の額の高低、敷金や礼金の料金の額の高低、また敷金や礼金の料金の有り無しなどが挙げられる。
【００１８】
よって、複数検出された月極駐車場の空き車室のうち、もっとも希望に合致する空き車室を選択すべく、空き車室比較部９で前記の賃料の額、敷金や礼金の料金の額、敷金や礼金の料金の有り無しなどを比較し、検討する。
【００１９】
そして、比較検討した結果、もっとも希望に合致した空き車室が選択されるものとなる。
【００２０】
希望の空き車室が選択されると、前記サイト４の画面表示が図面作成部１０に変更される。
該図面作成部１０には、前記入力された居住する住所と選択された月極駐車場の空き車室が存する住所のデータとから、その近傍エリアの図が連携する地図アプリ１３から選択され、送出される。
【００２１】
選択され、送出された前記近傍エリアの図は、地図切り出し部１４によって所定の様式に切り出される。尚、切り出された地図は、各種官庁へ提出するための図、例えば車庫証明用の図の基礎図として使用できる様式になっている。
【００２２】
すなわち、前記図面作成部１０においては、前記地図アプリ１３から送出された近傍エリアの基礎図を基に車庫証明用の案内図、配置図などの図面を容易に作成できる構成が採用されている。
さらに、それをプリントアウトして現実に車庫証明用の案内図、配置図などの図面として利用できる。
【００２３】
ところで、符号１１は月極駐車場契約が完了した車両に付与される読み取りチップを示す。該読み取りチップ１１は例えば、ＩＣなどで構成され、例えば１５桁の数字により所定の月極駐車場利用車であること、また何ヶ月間の契約期間であるかなどの内容が設定され、その読み取りチップ１１を月極駐車場の入り口などに設置された読み取りリーダ１２によって読み取ることにより該当する月極駐車場内への入出車が出来る構成となっている。
尚、前記読み取りチップ１１への契約内容の設定であるが、あらかじめ契約期間を経過しても賃料を滞納する場合があることが考慮され、契約期間経過後、例えば２ヶ月の猶予期間を設定した上で読み取り設定をすることもできる。
【００２４】
この様に、本発明による月極駐車場管理システムは、月極空き駐車場（時間貸駐車場も含む）をパソコン及びスマートフォンなどの通信端末１で、例えば一般会員と不動産会社などに検索で知らしめるシステムとなる。
【００２５】
そして、このシステムのメリットとしては、引っ越し等で所有の車の保管の為に駐車場を引っ越し先の自分の住まいから一番近い空き保管場所が簡単に料金を比較して検索できたり、その他の賃料の比較等も検索できることにある。
現状ではほとんどが自分の足で自宅の周りにある不動産屋の管理看板を探している状況である。
【００２６】
そして、月極駐車場に関するデータの情報収集は、自らリサーチするほか前述したように、例えば会員となった不動産会社より空き契約済情報を入手するものとしている。
これによって、住まいより一番近い空き駐車場が容易に検索でき、住まいよりの距離や月の賃料がすぐ把握でき、同条件との比較が出来る。
【００２７】
そして、現在警察で駐車場の距離は自宅より２キロメートル以内と決められている地図を容易に作成でき、しかも簡単にプリントアウトできて申請書に添付出来、ジャリかアスファルト仕上げかの情報も認識できものとなる。
【００２８】
さらに、引越し予定者は引越先の所の空き駐車場を予め全国どこからでもＰＣ、スマホで検索でき、さらには、ＰＣ、スマホで申し込み仮契約あるいは本契約することさえも出来る。
【００２９】
また、月極駐車場内にインターネットカメラを設置し、Ｗｉ−Ｆｉ通信可能な設備として、ＰＣ及びスマホで月極駐車場内を自由に閲覧出来るようにすることも出来る。
【図面の簡単な説明】
【００３０】
【図１】本発明の構成説明図である。
【図２】月極駐車場管理サーバＰＣの構成説明図である。
【図３】読み取りチップと読み取りリーダの動作を説明する説明図である。
【符号の説明】
【００３１】
１    通信端末
２    インターネット回線
３    月極駐車場管理サーバＰＣ
４    月極駐車場管理サイト
５    空き車室検出部
６    月極駐車場データ記憶保存部
７    情報発信コンピュータ
８    住所入力部
９    空き車室比較部
１０  図面作成部
１１  読み取りチップ
１２  読み取りリーダ
１３  地図アプリ
１４  地図切り出し部
【図１】
2017199069.tif 000003
【図２】
2017199069.tif 000004
【図３】
2017199069.tif 000005
【手続補正書】
【提出日】平成29年7月25日(2017.7.25)
【手続補正１】
【補正対象書類名】特許請求の範囲
【補正対象項目名】全文
【補正方法】変更
【補正の内容】
【特許請求の範囲】
【請求項１】
通信端末と、月極駐車場管理サーバＰＣと、前記通信端末がインターネット回線を介して接続される前記月極駐車場管理サーバＰＣが運用する月極駐車場管理サイトと、を有し、
前記月極駐車場管理サーバＰＣは、全国の不動産業者の有する情報発信コンピュータから月極駐車場の空き情報が送信され、該情報に基づき、日々更新されて新しい月極駐車場データとされた全国の月極駐車場の空き車室がデータとして記憶、保存された月極駐車場データ記憶保存部を有し、
前記月極駐車場管理サーバＰＣが運用する月極駐車場管理サイトは、
前記通信端末から入力される居住する住所の入力データに基づき、車の保管場所として適正な場所の月極駐車場の空き車室を検出する検出手段を有し、
前記検出手段による適正な場所の月極駐車場の空き車室の検出は、前記入力された住所の場所から２ｋｍ以内の月極駐車場でかつ空き車室のある箇所の複数箇所の検出であり、
前記検出された複数の前記月極駐車場の空き車室は、月極駐車場の地面がアスファルト舗装されているか否か、賃料の額の高低、敷金や礼金の料金の額の高低、敷金や礼金の料金の有り無しのデータからなる比較データを用いて、比較手段により比較され、比較された複数の前記月極駐車場の空き車室の中から最も希望に合致した月極駐車場の空き車室が選択されてなり、
前記選択された月極駐車場の空き車室については、前記居住住所のデータと前記検出された月極駐車場の空き車室の住所のデータとから前記空き車室近傍エリアの図が地図アプリから送出され、前記の近傍エリアの図が図面作成手段により作成され、
前記作成された近傍エリアの図を基礎図として前記空き車室の案内図と配置図とを有する車庫証明用の図面が地図切り出し手段により作成される、
ことを特徴とする月極駐車場管理システム。
【請求項２】
前記選択された月極駐車場の空き車室について月極駐車場契約が完了した後、月極駐車場契約完了した車両には、車両認識手段が取り付けられ、月極駐車場では、前記車両認識手段によって、前記車両の駐車場進入を認める、
ことを特徴とする請求項１記載の月極駐車場管理システム。
【請求項３】
前記月極駐車場契約が完了した後、所定期間月極駐車場料金が支払われていないとき、前記車両認識手段が変更され、前記車両の月極駐車場進入が阻止される、
ことを特徴とする請求項２記載の月極駐車場管理システム。
【手続補正２】
【補正対象書類名】明細書
【補正対象項目名】全文
【補正方法】変更
【補正の内容】
【発明の詳細な説明】
【技術分野】
【０００１】
本発明は、月極駐車場の空き利用に関するあらゆる情報を、例えば会員となっている不動産会社及び一般利用者向けにコンピュータ（ＰＣ）、スマートフォンやタブレット端末等を通じて情報を提供することができ、また月極駐車場の管理についてコンピュータ（ＰＣ）、スマートフォンやタブレット端末等を通じて管理することを可能とした月極駐車場管理システムに関するものである。
【背景技術】
【０００２】
現在、例えば自動車を購入した場合や、車両を有する者が引越しに伴って住所の変更を行う場合、自動車の名義を変更する場合等に自動車保管場所証明書、いわゆる車庫証明書を管轄の警察署に申請する必要がある。
【０００３】
その際に、月極駐車場を使用している場合、車庫証明の申請に必要な書類として、自動車保管場所証明申請書、所在図・配置図、保管場所使用承諾証明書などの書類が必要である。
【０００４】
具体的には、前記所在図には自宅から駐車場までの略図を描き、自宅から車の保管場所までの間を線で結んで、その距離（直線で２ｋｍ以内）を記入する。
配置図には、車の保管場所の周囲の建物や道路を表示したものを作成し、その際、配置図には車の保管場所に接する道路の幅員、前記保管場所の平面の寸法も記載する必要がある。
さらに、保管場所使用承諾証明書を作成する場合には、駐車場の所有者または不動産会社に出向き、印鑑、車検証、免許証等を提示したうえで、自動車保管場所使用承諾証明書に記入・押印してもらう必要がある。
【０００５】
そのため、自動車保管場所証明書の申請には時間がかかり、手続きも煩雑であるため、交付されるまでに長い時間がかかるといった課題があった。
【０００６】
また、従来は一般利用者が自宅近くの月極駐車場を自ら探すか又は不動産会社の看板を見て問合せを行っていた。そのため、車の所有者が引越しする際には、事前に引越し先で月極駐車場を探し契約する必要があり、金銭面や立地条件、自宅からの距離等に十分な検討ができないといった課題がある。
【０００７】
さらに、月極駐車場の月額費用や契約金等の比較をすることができず、一般利用者にとっては長期的なコストも大きな負担となるとの課題もあった。
【先行技術文献】
【特許文献】
【０００８】
【特許文献１】特開２００２−２６００２９号公開公報
【発明の概要】
【発明が解決しようとする課題】
【０００９】
かくして、本発明は、上記の課題に対処すべく創案されたものであって、例えば自動車を購入した場合や、車両を有する者が引越しに伴って住所の変更を行う場合、自動車の名義を変更する場合等に自動車保管場所証明書、いわゆる車庫証明書を管轄の警察署に申請する必要がある際に、月極駐車場を使用している場合、車庫証明の申請に必要な書類として、自動車保管場所証明申請書、所在図・配置図、保管場所使用承諾証明書などの書類が必要となり、具体的には、前記所在図には自宅から駐車場までの略図を描き、自宅から車の保管場所までの間を線で結んで、その距離（直線で２ｋｍ以内）を記入し、配置図には、車の保管場所の周囲の建物や道路を表示したものを作成し、その際、配置図には車の保管場所に接する道路の幅員、前記保管場所の平面の寸法も記載する必要があり、さらに、保管場所使用承諾証明書を作成する場合には、駐車場の所有者または不動産会社に出向き、印鑑、車検証、免許証等を提示したうえで、自動車保管場所使用承諾証明書に記入・押印してもらう必要があり、そのため、自動車保管場所証明書の申請には時間がかかり、手続きも煩雑であるため、交付されるまでに長い時間がかかることがなく、また、従来は一般利用者が自宅近くの月極駐車場を自ら探すか又は不動産会社の看板を見て問合せを行うことがなく、そのため、車の所有者が引越しする際に、事前に引越し先で月極駐車場を探し契約する必要があり、金銭面や立地条件、自宅からの距離等に十分な検討ができないといったことがなく、さらに、月極駐車場の月額費用や契約金等の比較をすることができずに、一般利用者にとっては長期的なコストも大きな負担となってしまうことがなく、月極駐車場の空き利用に関するあらゆる情報や手続をインターネット上に挙げて提供し、手続できるようにし、例えば会員となっている不動産会社及び一般利用者向けにコンピュータ（ＰＣ）、スマートフォンやタブレット端末等を通じて情報を提供し、手続きできるようにし、また月極駐車場の管理についてコンピュータ（ＰＣ）、スマートフォンやタブレット端末等を通じて管理することを可能とした月極駐車場管理システムを提供することを目的とするものである。
【課題を解決するための手段】
【００１０】
本発明は、
通信端末と、月極駐車場管理サーバＰＣと、前記通信端末がインターネット回線を介して接続される前記月極駐車場管理サーバＰＣが運用する月極駐車場管理サイトと、を有し、
前記月極駐車場管理サーバＰＣは、全国の不動産業者の有する情報発信コンピュータから月極駐車場の空き情報が送信され、該情報に基づき、日々更新されて新しい月極駐車場データとされた全国の月極駐車場の空き車室がデータとして記憶、保存された月極駐車場データ記憶保存部を有し、
前記月極駐車場管理サーバＰＣが運用する月極駐車場管理サイトは、
前記通信端末から入力される居住する住所の入力データに基づき、車の保管場所として適正な場所の月極駐車場の空き車室を検出する検出手段を有し、
前記検出手段による適正な場所の月極駐車場の空き車室の検出は、前記入力された住所の場所から２ｋｍ以内の月極駐車場でかつ空き車室のある箇所の複数箇所の検出であり、
前記検出された複数の前記月極駐車場の空き車室は、月極駐車場の地面がアスファルト舗装されているか否か、賃料の額の高低、敷金や礼金の料金の額の高低、敷金や礼金の料金の有り無しのデータからなる比較データを用いて、比較手段により比較され、比較された複数の前記月極駐車場の空き車室の中から最も希望に合致した月極駐車場の空き車室が選択されてなり、
前記選択された月極駐車場の空き車室については、前記居住住所のデータと前記検出された月極駐車場の空き車室の住所のデータとから前記空き車室近傍エリアの図が地図アプリから送出され、前記の近傍エリアの図が図面作成手段により作成され、
前記作成された近傍エリアの図を基礎図として前記空き車室の案内図と配置図とを有する車庫証明用の図面が地図切り出し手段により作成される、
ことを特徴とし、
または、
前記選択された月極駐車場の空き車室について月極駐車場契約が完了した後、月極駐車場契約完了した車両には、車両認識手段が取り付けられ、月極駐車場では、前記車両認識手段によって、前記車両の駐車場進入を認める、
ことを特徴とし、
または、
前記月極駐車場契約が完了した後、所定期間月極駐車場料金が支払われていないとき、前記車両認識手段が変更され、前記車両の月極駐車場進入が阻止される、
ことを特徴とするものである。
【発明の効果】
【００１１】
本発明による月極駐車場管理システムであれば、例えば自動車を購入した場合や、車両を有する者が引越しに伴って住所の変更を行う場合、自動車の名義を変更する場合等に自動車保管場所証明書、いわゆる車庫証明書を管轄の警察署に申請する必要がある際に、月極駐車場を使用している場合、車庫証明の申請に必要な書類として、自動車保管場所証明申請書、所在図・配置図、保管場所使用承諾証明書などの書類が必要となり、具体的には、前記所在図には自宅から駐車場までの略図を描き、自宅から車の保管場所までの間を線で結んで、その距離（直線で２ｋｍ以内）を記入し、配置図には、車の保管場所の周囲の建物や道路を表示したものを作成し、その際、配置図には車の保管場所に接する道路の幅員、前記保管場所の平面の寸法も記載する必要があり、さらに、保管場所使用承諾証明書を作成する場合には、駐車場の所有者または不動産会社に出向き、印鑑、車検証、免許証等を提示したうえで、自動車保管場所使用承諾証明書に記入・押印してもらう必要があり、そのため、自動車保管場所証明書の申請には時間がかかり、手続きも煩雑であるため、交付されるまでに長い時間がかかることがなく、また、従来は一般利用者が自宅近くの月極駐車場を自ら探すか又は不動産会社の看板を見て問合せを行うことがなく、そのため、車の所有者が引越しする際に、事前に引越し先で月極駐車場を探し契約する必要があり、金銭面や立地条件、自宅からの距離等に十分な検討ができないといったことがなく、さらに、月極駐車場の月額費用や契約金等の比較をすることができずに、一般利用者にとっては長期的なコストも大きな負担となってしまうことがなく、月極駐車場の空き利用に関するあらゆる情報や手続をインターネット上に挙げて提供し、手続できるようにし、例えば会員となっている不動産会社及び一般利用者向けにコンピュータ（ＰＣ）、スマートフォンやタブレット端末等を通じて情報を提供し、手続きできるようにし、また月極駐車場の管理についてコンピュータ（ＰＣ）、スマートフォンやタブレット端末等を通じて管理することを可能とするとの優れた効果を奏する。
【発明を実施するための形態】
【００１２】
以下本発明を図に基づいて説明する。
【００１３】
まず、本発明は、通信端末１と、該通信端末１がインターネット回線２を介して接続される月極駐車場管理サーバＰＣ３とを有して構成される。
そして、月極駐車場管理サーバＰＣ３によって、例えば、月極駐車場管理サイト４がインターネット上で運用されており、前記通信端末１はこの月極駐車場管理サイト４にインターネット回線２を介して接続し、各種の操作が行われるものとなる。
【００１４】
この月極駐車場管理サイト４を運用する月極駐車場管理サーバＰＣ３には、図２に示されるように、居住する住所を入力すると、この住所から車の保管場所として適正な場所、例えば自宅から２ｋｍ以内の場所にある月極駐車場を検出し、かつその月極駐車場に空き車室があるか否かを検出する空き車室検出部５が設けられている。
【００１５】
ここで、月極駐車場管理サーバＰＣ３は、全国の月極駐車場とその月極駐車場の空き車室がデータとして記憶、保存された月極駐車場データ記憶保存部６を有しており、該月極駐車場データ記憶保存部６には、例えば全国の不動産業者などの業者の有する情報発信コンピュータ７からいわゆる月極駐車場の空き情報などが送信され、それらの情報に基づき、日々更新されて新しい月極駐車場データが蓄積、保存されている。
【００１６】
尚、全国の不動産業者など業者の有する情報発信コンピュータ７からいわゆる前述の月極駐車場の空き情報などが送信されるが、その送信に際して、前記全国の不動産業者など業者の有する情報発信コンピュータ７側には、月極駐車場の契約に伴う料金の一部が還元されるよう課金構成されている。
【００１７】
しかして、通信端末１が月極駐車場管理サイト４に接続し、該月極駐車場管理サイト４に設けられた空き車室検出部５をクリックすると、住所入力部８が表示される。この住所入力部８に居住する住所を入力する。
すると、その住所の場所から２ｋｍ以内の月極駐車場でかつ空き車室のある箇所が複数箇所検出される。
複数検出された月極駐車場の空き車室のうち、もっとも希望に合う空き車室を選択することになる。
例えば、その選択基準には、月極駐車場の地面がアスファルト舗装されているか否か、賃料の額の高低、敷金や礼金の料金の額の高低、また敷金や礼金の料金の有り無しなどが挙げられる。
【００１８】
よって、複数検出された月極駐車場の空き車室のうち、もっとも希望に合致する空き車室を選択すべく、空き車室比較部９で前記の賃料の額、敷金や礼金の料金の額、敷金や礼金の料金の有り無しなどを比較し、検討する。
【００１９】
そして、比較検討した結果、もっとも希望に合致した空き車室が選択されるものとなる。
【００２０】
希望の空き車室が選択されると、前記サイト４の画面表示が図面作成部１０に変更される。
該図面作成部１０には、前記入力された居住する住所と選択された月極駐車場の空き車室が存する住所のデータとから、その近傍エリアの図が連携する地図アプリ１３から選択され、送出される。
【００２１】
選択され、送出された前記近傍エリアの図は、地図切り出し部１４によって所定の様式に切り出される。尚、切り出された地図は、各種官庁へ提出するための図、例えば車庫証明用の図の基礎図として使用できる様式になっている。
【００２２】
すなわち、前記図面作成部１０においては、前記地図アプリ１３から送出された近傍エリアの基礎図を基に車庫証明用の案内図、配置図などの図面を容易に作成できる構成が採用されている。
さらに、それをプリントアウトして現実に車庫証明用の案内図、配置図などの図面として利用できる。
【００２３】
ところで、符号１１は月極駐車場契約が完了した車両に付与される読み取りチップを示す。該読み取りチップ１１は例えば、ＩＣなどで構成され、例えば１５桁の数字により所定の月極駐車場利用車であること、また何ヶ月間の契約期間であるかなどの内容が設定され、その読み取りチップ１１を月極駐車場の入り口などに設置された読み取りリーダ１２によって読み取ることにより該当する月極駐車場内への入出車が出来る構成となっている。
尚、前記読み取りチップ１１への契約内容の設定であるが、あらかじめ契約期間を経過しても賃料を滞納する場合があることが考慮され、契約期間経過後、例えば２ヶ月の猶予期間を設定した上で読み取り設定をすることもできる。
【００２４】
この様に、本発明による月極駐車場管理システムは、月極空き駐車場（時間貸駐車場も含む）をパソコン及びスマートフォンなどの通信端末１で、例えば一般会員と不動産会社などに検索で知らしめるシステムとなる。
【００２５】
そして、このシステムのメリットとしては、引っ越し等で所有の車の保管の為に駐車場を引っ越し先の自分の住まいから一番近い空き保管場所が簡単に料金を比較して検索できたり、その他の賃料の比較等も検索できることにある。
現状ではほとんどが自分の足で自宅の周りにある不動産屋の管理看板を探している状況である。
【００２６】
そして、月極駐車場に関するデータの情報収集は、自らリサーチするほか前述したように、例えば会員となった不動産会社より空き契約済情報を入手するものとしている。
これによって、住まいより一番近い空き駐車場が容易に検索でき、住まいよりの距離や月の賃料がすぐ把握でき、同条件との比較が出来る。
【００２７】
そして、現在警察で駐車場の距離は自宅より２キロメートル以内と決められている地図を容易に作成でき、しかも簡単にプリントアウトできて申請書に添付出来、ジャリかアスファルト仕上げかの情報も認識できものとなる。
【００２８】
さらに、引越し予定者は引越先の所の空き駐車場を予め全国どこからでもＰＣ、スマホで検索でき、さらには、ＰＣ、スマホで申し込み仮契約あるいは本契約することさえも出来る。
【００２９】
また、月極駐車場内にインターネットカメラを設置し、Ｗｉ−Ｆｉ通信可能な設備として、ＰＣ及びスマホで月極駐車場内を自由に閲覧出来るようにすることも出来る。
【図面の簡単な説明】
【００３０】
【図１】本発明の構成説明図である。
【図２】月極駐車場管理サーバＰＣの構成説明図である。
【図３】読み取りチップと読み取りリーダの動作を説明する説明図である。
【符号の説明】
【００３１】
１        通信端末
２        インターネット回線
３        月極駐車場管理サーバＰＣ
４        月極駐車場管理サイト
５        空き車室検出部
６        月極駐車場データ記憶保存部
７        情報発信コンピュータ
８        住所入力部
９        空き車室比較部
１０     図面作成部
１１     読み取りチップ
１２     読み取りリーダ
１３     地図アプリ
１４     地図切り出し部